(57)【特許請求の範囲】
【請求項１】
ムーブメントが収納されたケースと、
バンドが連結されるバンド連結脚と、
該バンド連結脚を前記ケースに回動可能に取付ける取付手段と、
前記取付手段内に設けられ、前記バンド連結脚を貫通して前記ムーブメントを操作するための操作部材とよりなる腕時計において、
前記取付手段は、前記ケースより一体に突出し、前記バンド連結脚に挿入される円筒状支持部と、該円筒状支持部内に挿入され前記ケースに対して固定されるパイプ状の固定部材より成ると共に、前記操作部材は前記固定部材の内部に摺動可能に挿入されていることを特徴とする腕時計におけるバンド連結脚取付構造。
【請求項２】
前記パイプ状の固定部材は大径のフランジを有し、前記バンド連結脚は前記フランジと回動可能に係合することを特徴とする請求項１に記載の腕時計におけるバンド連結脚取付構造。
【請求項３】
前記バンド連結脚が前記フランジで抜け止めされていることを特徴とする請求項２に記載の腕時計におけるバンド連結脚取付構造。
【請求項４】
前記円筒状支持部は、前記バンド取付脚に設けられ外方に開口するＵ字凹部内に挿入されていることを特徴とする請求項１から３のいずれかに記載の腕時計におけるバンド連結脚取付構造。
【請求項５】
前記パイプ状の固定部材の内端は、前記ケースの内側に位置して前記パイプ状の固定部材の脱落を防止する係合部材と係合することを特徴とする請求項１から４のいずれかに記載の腕時計におけるバンド連結脚取付構造。
【請求項６】
前記操作部材の頭部の少なくとも一部が、前記バンド連結脚に沈み込んでいることを特徴とする請求項１から５のいずれかに記載の腕時計におけるバンド連結脚取付構造。
【請求項７】
前記操作部材の頭部の少なくとも一部が、前記パイプ状の固定部材に沈み込んでいることを特徴とする請求項１から５のいずれかに記載の腕時計におけるバンド連結脚取付構造。
【請求項８】
前記操作部材がプッシュボタンであり、該プッシュボタンを外方に付勢する付勢手段を前記パイプ状の固定部材の内部に配置したことを特徴とする請求項１から７のいずれかに記載の腕時計におけるバンド連結脚取付構造。
【請求項９】
前記係合部材が、前記パイプ状の固定部材の内端に係合するＣ型リングであることを特徴とする請求項５に記載の腕時計におけるバンド連結脚取付構造。
【請求項１０】
前記係合部材が、前記ケース内部に配置される金属製の枠体、あるいは金属製の板材のいずれかであり、前記パイプ状の固定部材が前記枠体又は板材に接合されることを特徴とする請求項５に記載の腕時計におけるバンド連結脚取付構造。
【請求項１１】
前記パイプ状の固定部材と前記ケースとの間に前記ケース内部への浸水を防ぐ防水手段を備えることを特徴とする請求項５から１０のいずれかに記載の腕時計におけるバンド連結脚取付構造。
【請求項１２】
前記ケースはそれぞれコ字形部を有する一対のバンド連結脚を備え、該一対のバンド連結脚はそれぞれ前記コ字形の開口部が対向して前記ケースを互いに反対側から挟むように配置され、前記取付手段は各々の前記バンド連結脚のコ字形の開口端付近にそれぞれ設けられると共に、各々の前記バンド連結脚の回動軸は互いに平行であることを特徴とする請求項１に記載の腕時計におけるバンド連結脚取付構造。
【発明の詳細な説明】
【０００１】
【発明の属する技術分野】
本発明は腕時計のケースにバンド連結脚を回動可能に取付けた可動脚取付構造に関するものである。
【０００２】
【従来の技術】
図１３は従来の可動脚を有する腕時計を示す平面図である。
ケース１には対向してバンド連結脚２のネジ３により回動可能に取付けられている。この腕時計には、ケース内部のモジュール内の回路を作動させる為の四個のプッシュボタン４が押込可能にケース１に取付けられている。
更に、実開平１−１７９２９３号公報には環状の外胴に腕時計ケースが回動可能に取付けられ、ケースの表裏を反転できる構造が開示されている。
【０００３】
【発明が解決しようとする課題】
前者の従来技術では、ボタン４のスペースを確保するため、脚２の間隔Ｌを必要とする。従ってケース１の長さＭが長くなり、時計が大型となり、外観も劣る。
また、バンド連結脚に邪魔されて、ボタン４を押しにくい。更に、長期にわたり使用していると、ネジが緩んで、バンド連結脚がケースから外れてしまうことがある。
又、後者の技術では、外胴に巻真が取付けられ、この巻真に直接ケースが回動可能に取付けられている。この構造では、巻真が細いものであるから、強度が低く、破損するおそれがある。
【０００４】
本発明の目的は、上記の問題を解決し、ケースを小型化し、操作部材の操作を容易にし、バンド連結脚がケースから外れることがなく、更に強度の高い取付構造を提供することにある。
【０００５】
【課題を解決するための手段】
請求項１に係る発明は、ムーブメントが収納されたケースと、バンドが連結されるバンド連結脚と、該バンド連結脚を前記ケースに回動可能に取付ける取付手段と、前記取付手段内に設けられ、前記バンド連結脚を貫通して前記ムーブメントを操作するための操作部材とよりなる腕時計において、前記取付手段は、前記ケースより一体に突出し、前記バンド連結脚に挿入される円筒状支持部と、該円筒状支持部内に挿入され前記ケースに対して固定されるパイプ状の固定部材より成ると共に、前記操作部材は前記パイプ状固定部材の内部に摺動可能に保持されていることを特徴とする。
【０００６】
請求項２に係る発明は、前記パイプ状の固定部材は大径のフランジを有し、前記バンド連結脚は前記フランジと回動可能に係合することを特徴とする。
請求項３に係る発明は、前記バンド連結脚が前記フランジで抜け止めされていることを特徴とする。
【０００７】
請求項４に係る発明は、前記円筒状支持部は、前記バンド取付脚に設けられ外方に開口するＵ字凹部内に挿入されていることを特徴とする。
請求項５に係る発明は、前記パイプ状の固定部材の内端は、前記ケースの内側に位置して前記パイプ状の固定部材の脱落を防止する係合部材と係合することを特徴とする。
【０００８】
請求項６に係る発明は、前記操作部材の頭部の少なくとも一部が、前記バンド連結脚に沈み込んでいることを特徴とする。
請求項７に係る発明は、前記操作部材の頭部の少なくとも一部が、前記パイプ状の固定部材に沈み込んでいることを特徴とする。
【０００９】
請求項８に係る発明は、前記操作部材がプッシュボタンであり、該プッシュボタンを外方に付勢する付勢手段を前記パイプ状の固定部材の内部に配置したことを特徴とする。
請求項９に係る発明は、前記系合部材が、前記パイプ状の固定部材の内端に係合するＣ型リングであることを特徴とする。
【００１０】
請求項１０に係る発明は、前記係合部材が、前記ケース内部に配置される金属製の枠体、あるいは金属製の板材のいずれかであり、前記パイプ状の固定部材が前記枠体又は板材に接合されることを特徴とする。
請求項１１に係る発明は、前記パイプ状の固定部材と前記ケースとの間に前記ケース内部への浸水を防ぐ防水手段を備えることを特徴とする。
請求項１２に係る発明は、前記ケースはそれぞれコ字形部を有する一対のバンド連結脚を備え、該一対のバンド連結脚はそれぞれ前記コ字形の開口部が対向して前記ケースを互いに反対側から挟むように配置され、前記取付手段は各々の前記バンド連結脚のコ字形の開口端付近にそれぞれ設けられると共に、各々の前記バンド連結脚の回動軸は互いに平行であることを特徴とする。
【００１１】
【発明の実施の形態】
図１は本発明の第一実施形態を示す平面図、図２は側面図、図３は分解斜視図、図４は切断平面図、図５は切断側面図である。
腕時計ケース１０及びバンド長手方向一対のバンド連結脚１１は共にプラスチック製で、バンド連結脚１１はバンド幅方向一対の脚１１ａを有し、操作部材としての四個のプッシュボタン機構により回動可能に取付けられている。
【００１２】
図４、５に示すように、ケース１０の側壁１３に断面円形の孔１４が形成されている。この孔１４に連通して外壁に円筒状の支持部１５が突出している。各プッシュボタン機構プッシュボタン１２と、孔１４に挿入されフランジ１６を有する固定部材としてのパイプ１７と、パイプ１７の段部１８とプッシュボタンの頭部１２ａとの間に設けられ、プッシュボタンを突出させるスプリング２０とを有する。頭部１２ａはフランジ１６内の大径孔に挿入されている。
一方、連結脚１１は図５に示すように、脚１１ａにおいてフランジ１６に係合する大径の孔２１を有し、その部分の内壁側に図３に示すように下方に開口するＵ字形の凹部２２が形成され、図５に示すように孔２１との間に段部２３が形成されている。
【００１３】
次に、本構造の組立方法について説明する。
先ず、連結脚１１の凹部２２をケースの支持部１５に嵌める。
次にパイプ１７に防水パッキン２４を嵌め、パイプを孔１４に挿入し、Ｃ型リング２５で抜け止めをする。この時、フランジ１６の内方の壁が連結脚１１の段部２３に当たり、連結脚が抜け止めされる。また、この時フランジ１６が孔２１に挿入される。
次にスプリング２０を入れ、プッシュボタンの軸部１２ｂに二個の防水パッキン２６を嵌め、軸部１２ｂをパイプ１７に挿入し、Ｃ型リング２７で抜け止めをして完成する。尚裏蓋２９がネジ３０によりケースに固定される。
【００１４】
以上のようにして、バンド連結脚１１がケース１０に回動可能に取付けられる。
図５において、プッシュボタン１２を押すことにより軸部１２ｂの先端がムーブメント２８のスイッチ接点２８ａに当接して所定の作動が行われる。
本実施形態によれば、プッシュボタンがバンド連結脚をケースに取付ける連結部材を兼ねているので、プッシュボタン配置の為の特別の領域を備える必要がなく、ケースの長さを短くすることができる。
また、連結脚に邪魔されずにプッシュボタンを容易に操作することができる。ネジのように緩むことがない。
更に、バンド連結脚はケースの支持部及びケースに固定されたパイプによってケースに取付けられているので、強度が高く破損することがない。
【００１５】
図６は第二実施形態を示す分解斜視図、図７は切断側面図である。
本実施形態は、係合部材としての長方形の金属製枠体３１がケース１０の内壁に圧入、接着等により固定されている。この枠体３１にはパイプ１７の先端部が挿入される孔３２が形成され、パイプの先端部はこの孔に嵌合され、圧入、接着、ロー付け、溶接等により枠体に固定される。
その他の構造は第一実施形態と同じであるので、それと同一の符号を付し、説明を省略する。尚、係合部材３１は有底のものでもよい。また枠体である係合部材３１に代えて、複数の金属板をケース内に収納し、パイプ１７と係合させても良い。例えば、対向して配置される二枚の金属板を係合部材としても良い。
第二実施形態のよれば、パイプ１７が金属製の枠体３１に固定されているので、それが動くことなく、プッシュボタンの操作が安定し、またケースとバンド連結脚との取付けも遊びがなく安定したものとなる。
【００１６】
図８は第三実施形態を示す側面図、図９は断面図である。
本実施形態では、プッシュボタンに代えて、竜頭３３を用いている。
パイプ１７ａは前記パイプ１７と実質的に同一の形状構造で、ケース１０の孔１４に挿入され、Ｃ型リング２５で抜け止めされる。
竜頭３３はその軸部３４に二個の防水パッキン３５が嵌められ、パイプ１７ａに挿入され、巻真３６に螺合される。
【００１７】
尚、１１ａには、竜頭３３を指で把持するための凹部３７が形成されている。第三実施形態は、プッシュボタンが竜頭に変わっただけで、それ以外の操作効果は第一実施形態と同じである。
【００１８】
図１０は第四実施形を示す平面図、図１１は側面図、図１２は切断側面図である。
バンド連結脚３８はケース４０を上下において連結されるもので、脚３８ａは上下に設けられている。そして、第一実施形態と同一構造のプッシュと願１２により連結脚３８は上部においてケース４０に連結され、下部においてはネジ４１によりケースに連結されている。
従って、この実施形態においては、プッシュボタンは下方に押される。その他の操作効果は第一実施形態と同じである。
【００１９】
【発明の効果】
本発明によれば、プッシュボタン等の操作部材がバンド連結脚をケースに取付ける連結部材を兼ねているので、操作部材の配置の為の特別の領域を備える必要がなく、ケースの長さを短くすることができる。
また、連結脚に邪魔されずにプッシュボタンを容易に操作することができる。連結部がネジのように緩むことがない。
更に、バンド連結脚はケースの支持部及びケースに固定されたパイプによってケースに取付けられているので、強度が高く破損することがない。
【図面の簡単な説明】
【図１】本発明の第一実施形態を示す平面図である。
【図２】本発明の第一実施形態を示す側面図である。
【図３】本発明の第一実施形態を示す分解斜視図である。
【図４】本発明の第一実施形態を示す切断平面図である。
【図５】本発明の第一実施形態を示す切断側面図である。
【図６】本発明の第二実施形態を示す分解斜視図である。
【図７】本発明の第二実施形態を示す切断側面図である。
【図８】本発明の第三実施形態を示す側面図でる。
【図９】本発明の第三実施形態を示す断面図である。
【図１０】本発明の第四実施形を示す平面図である。
【図１１】本発明の第四実施形を示す側面図である。
【図１２】本発明の第四実施形を示す切断側面図である。
【図１３】従来の可動脚を有する腕時計を示す平面図である。
【符号の説明】
１    ケース
２    バンド連結脚
３    ネジ
４    プッシュボタン
１０  腕時計ケース
１１  バンド連結脚
１１ａ  脚
１２  プッシュボタン
１２ａ  頭部
１２ｂ  軸部
１３  側壁
１４  孔
１５  支持部
１６  フランジ
１７、１７ａ  パイプ
１８  段部
２０  スプリング
２１  孔
２２  凹部
２３  段部
２４  防水パッキン
２５  Ｃ型リング
２６  防水パッキン
２７  Ｃ型リング
２８  ムーブメント
２８ａ  スイッチ接点
２９  裏蓋
３０  ネジ
３１  枠体
３２  孔
３３  竜頭
３４  軸部
３５  防水パッキン
３６  巻真
３７  凹部
３８  バンド連結脚
３８ａ  脚
３９  凹部
４０  ケース
４１  ネジ
【図１】
0004252149.tif 000002
【図２】
0004252149.tif 000003
【図３】
0004252149.tif 000004
【図４】
0004252149.tif 000005
【図５】
0004252149.tif 000006
【図６】
0004252149.tif 000007
【図７】
0004252149.tif 000008
【図８】
0004252149.tif 000009
【図９】
0004252149.tif 000010
【図１０】
0004252149.tif 000011
【図１１】
0004252149.tif 000012
【図１２】
0004252149.tif 000013
【図１３】
0004252149.tif 000014